(57)【特許請求の範囲】
【請求項１】
容器と容器口部に装着する計量室蓋とからなる包装容器において、容器口部の雄ネジに螺合する雌ネジ部と容器口部を覆う覆いとから成る容器蓋上に計量室を形成して、前記計量室の形状は、覆いより垂直に形成されて向かい合う長方形側部と、雌ネジ部が上に延長されて向かい合う湾曲側部と、長方形側部と湾曲側部の上部を覆う天井と、天井と平行な計量室底とで形成されて、天井と一方の湾曲側部との接合部に排口を設けて、排口を排口蓋で塞いで、計量室中心を挟んで排口の相対する計量室底の一端を上に傾斜させ流れ止めにして、流れ止めの長さを調整する流れ止め調整カバーを流れ止め先端に装着して、調整カバーと湾曲側部との間には流路を設けてあり、長方形側部に計量線が記入されていることを特徴とする包装容器
【請求項２】
前記計量室底を脱着容易にして、計量室底の側部に数本の溝を設け、計量室の相対する長方形側部内面に、前記溝に係止する数本の突起を形成し、溝に突起を係止して、内容物を誘導する傾斜した誘導路が設けられていることを特徴とする請求項１に記載の包装容器。
【請求項３】
前記容器口部にデザインカバーが設けられていることを特徴とする請求項１又は請求項２のいずれか記載の包装容器。
【請求項４】
容器において、容器口部から脱着自在に挿入し容器口部を覆う覆い側部周囲に容器口部に係止するパッキングを形成して、覆い側部を上下に伸ばして、覆いと伸ばした覆い側部とで容器蓋形状をなして、容器蓋上に計量室を形成し容器口部に計量室カバーを装着していることを特徴とする請求項１乃至請求項３のいずれかに記載の包装容器。
【発明の詳細な説明】
【技術分野】
【０００１】
容器の口部に装着された蓋に形成された計量室内へ、容器内の紛体又は液体の必要量を移動させ計量し、計量した計量室内の紛体、顆粒、錠剤又は液体を使用箇所に排出するさいに用いられる計量蓋容器に関する。
【背景技術】
【０００２】
従来カップ蓋液体容器では特許文献１、特許文献２、特許文献３のものが知られているが、いずれも洗濯時に計量升を兼ねるカップ蓋のキャップを開けるか又はカップ蓋そのものを取り外し、液体を使用しなければならなかった。
【先行技術文献】
【特許文献】
【０００３】
【特許文献１】実開平６−６７３５５号公報
【特許文献２】実開平７−２８０５３号公報
【特許文献３】実開平４−１６１６４号公報
【発明の概要】
【発明が解決しようとする課題】
【０００４】
特許文献１は、円筒体の上部を斜めに輪切りにした中栓上に円柱形の計量キャップが装着してあり、計量キャップ内の計量する物体が少ない場合と多い場合の計量が明確に計量できない。
排出口の位置がヒンジよりかなり低い傾斜した蓋体の水平天井部材端に設けてあるために、上蓋を開けた場合排出口より計量物体が排出してしまう。
【課題を解決するための手段】
【０００５】
請求項１は、容器と容器口部に装着する計量室蓋とからなる包装容器において、容器口部の雄ネジに螺合する雌ネジ部と容器口部を覆う覆いとから成る容器蓋上に計量室を形成して、前記計量室の形状は、覆いより垂直に形成されて向かい合う長方形側部と、雌ネジ部が上に延長されて向かい合う湾曲側部と、長方形側部と湾曲側部の上部を覆う天井と、天井と平行な計量室底とで形成されて、天井と一方の湾曲側部との接合部に排口を設けて、排口を排口蓋で塞いで、計量室中心を挟んで排口の相対する計量室底の一端を上に傾斜させ流れ止めにして、流れ止めの長さを調整する流れ止め調整カバーを流れ止め先端に装着して、調整カバーと湾曲側部との間には流路を設けてあり、長方形側部に計量線が記入されている包装容器。
【０００６】
請求項２は、前記計量室底を脱着容易にして、計量室底の側部に数本の溝を設け、計量室の相対する長方形側部内面に、前記溝に係止する数本の突起を形成し、溝に突起を係止して、内容物を誘導する傾斜した誘導路が設けられている包装容器。
【０００７】
請求項３は、前記容器口部にデザインカバーが設けられている包装容器。
【０００８】
請求項４は、容器において、容器口部から脱着自在に挿入し容器口部を覆う覆い側部周囲に容器口部に係止するパッキングを形成して、覆い側部を上下に伸ばして、覆いと伸ばした覆い側部とで容器蓋形状をなして、容器蓋上に計量室を形成し容器口部に計量室カバーを装着している包装容器。
【０００９】
図１−図６は、容器口部の雄ネジに螺合する雌ネジ部と容器口部を覆う覆いとから成る容器蓋上に計量室を形成し、計量室の形状は、覆いより垂直に形成されて向かい合う長方形側部と、雌ネジ部が上に延長されて向かい合う湾曲側部と、長方形側部と湾曲側部の上部を覆う天井と、天井と平行な計量室底とで略長方立方体の計量室が形成されて、天井の端と一方の湾曲側部との接合部に排口を設けて、排口を排口蓋で塞ぐ。
【００１０】
計量室底を脱着容易にし、計量室底の側部に数本の溝を設け、計量室の相対する長方形側部内側面に計量室底の側部の溝に係止する数本の突起を形成し、溝に突起を係止して、内容物を誘導する傾斜した誘導路を設ける。
【００１１】
計量室中心を挟んで排口の相対する計量室底の一端を上に傾斜させ流れ止めにして、流れ止め先端と湾曲側部との距離を調整し、流れ止めの長さを調整する流れ止め調整カバーを流れ止め先端に装着して、調整カバーと湾曲側部との間には流路を設けて、長方形側部に計量線を記入する。
【００１２】
図７−図１１は、図１−図６の形状と似ている形状のものにデザインカバーを追加している。
【００１３】
図１２−図１６は、容器口部から挿入し容器口部を覆う覆い側部周囲に容器口部に係止するパッキングを形成して、覆い側部を上下に伸ばして覆いと伸ばした覆い側部とで容器蓋形状をなして、容器蓋上に計量室を形成し、計量室の形状は、覆いより垂直に形成されて向かい合う長方形側部と、容器口部に沿って向かい合う湾曲側部と、長方形側部と湾曲側部の上部を覆う天井と、天井と平行な計量室底とで略長方立方体の計量室が形成されて、天井の端と一方の湾曲側部との接合部に排口を設けて、長方形側部に排口蓋誘導レールを形成し、誘導レールに排口蓋を装着して排口を排口蓋で塞ぐ。
【００１４】
計量室底を脱着容易にし、計量室底の側部に数本の溝を設け、計量室の相対する長方形側部内面に計量室底の側部の溝に係止する数本の突起を形成し、溝に突起を係止して、内容物を誘導する傾斜した誘導路を設ける。
【００１５】
計量室中心を挟んで排口の相対する計量室底の一端を上に傾斜させ流れ止めにして、流れ止め先端と湾曲側部との距離を調整し、流れ止めの長さを調整する流れ止め調整カバーを流れ止め先端に装着して、調整カバーと湾曲側部との間には流路を設けて、長方形側部に計量線を記入して、容器口部に計量室カバーを装着する。
【発明の効果】
【００１６】
以下図面に基づき説明する。
図１−図６は、容器（１）口部の雄ネジに螺合する雌ネジ部と容器（１）口部を覆う覆い（２）とから成る容器蓋（３）上に計量室（４）を形成し、計量室（４）の形状は、覆い（２）より上へ垂直に形成されて向かい合う長方形側部（５）と、雌ネジ部が上に延長されて向かい合う湾曲側部（６）と、長方形側部（５）と湾曲側部（６）の上部を覆う天井（７）と、天井（７）と平行な計量室底（８）とで略長方立方体の計量室（４）が形成されて、天井（７）の端と一方の湾曲側部（６）との接合部に排口（９）を設けて、排口（９）を排口蓋（１０）で塞いで、長方形側部（５）に計量線（１７）を記入されていることにおいて、計量室（４）内の粉体を明確に計量できる。
【００１７】
計量室（４）中心を挟んで排口（９）の相対する計量室底（８）の一端を上に傾斜させ流れ止め（１４）にして、流れ止め（１４）先端と湾曲側部（６）との距離を調整し、流れ止め（１４）の長さと高さを調整する流れ止め（１４）調整カバー（１５）を流れ止め（１４）先端に装着して、調整カバー（１５）と湾曲側部（６）との間には流路（１６）を設けてあることにおいて、紛対を計量した後に容器（１）を立てたさいに、計量室（４）の計量された粉体又は液体を調整カバー（１５）先端より下に溜めることができる。
【００１８】
計量室底（８）を脱着容易にし、計量室底（８）の側部に数本の溝（１１）を設け、計量室（４）の相対する長方形側部（５）内面に計量室底（８）の側部の溝（１１）に係止する数本の突起（１２）を形成し、溝（１１）に突起（１２）を係止して、内容物を誘導する傾斜した誘導路（１３）を設けたことにおいて、溝（１１）と突起（１２）の噛み合わせの位置を変えて計量室（４）の容量を変えることができて、又計量室底（８）を取り外して計量室（４）の内部を洗浄できる。
【００１９】
図７−図１１は、容器口部にデザインカバー（１８）を設けてあることにより全体の形状がスマートになる。
【００２０】
図１２−図１６符号１９−符号３６は、容器（１９）口部から挿入し容器（１９）口部を覆う覆い（２０）側部周囲に容器(１９)口部に係止するパッキング(２１)を形成して、覆い（２０）側部を上下に伸ばして、覆い（２０）と伸ばした覆い（２０）側部とで容器蓋（２２）形状をなして、容器蓋（２２）上に計量室（２３）を形成していることにおいて、容器（１９）を使い捨て容器にして、使い捨て容器口部に容器蓋（２２）計量室（２３）を脱着自在に挿入できる。
【００２１】
容器（１９）口部に計量室カバー(３６)を装着することにおいて、容器蓋（２２）と計量室（２３）が保護され衛生的であり携帯計量容器として使用しやすい。
【図面の簡単な説明】
【００２２】
【図１】容器（１）と容器蓋（３）の正面図。
【図２】容器蓋（３）と覆い（２）の平面図、切断線A−A線を示す。
【図３】図２のＡ−Ａ線切断部端面図。
【図４】容器蓋（３）と覆い（２）の平面図、切断線Ｂ−Ｂ線を示す。
【図５】図4のＢ−Ｂ線切断部端面図。
【図６】計量室底（４）の斜視図。
【図７】デザインカバー（１８）の正面図。
【図８】デザインカバー（１８）の平面図、切断線Ｃ−Ｃ線を示す。
【図９】図８のＣ−Ｃ線切断部端面図。
【図１０】デザインカバー（１８）の平面図、切断線Ｄ−Ｄ線を示す
【図１１】図１０のＤ−Ｄ線切断部端面図。
【図１２】容器（１９）と量室カバー(３６)の正面図
【図１３】容器（１９）より量室カバー(３６)を外した計量室（２３）と排口蓋(２９)と覆い（２０）の平面図、切断線Ｅ−Ｅ線を示す。
【図１４】図１３のＥ−Ｅ線切断部端面図。
【図１５】容器（１９）より量室カバー(３６)を外した計量室（２３）と排口蓋(２９)と覆い（２０）の平面図、切断線Ｆ−Ｆ線を示す。
【図１６】図１５のＦ−Ｆ線切断部端面図。
【発明を実施するための形態】
【００２３】
以下図面に基づき説明する。
図１−図６は、容器（１）口部の雄ネジに螺合する雌ネジ部と容器（１）口部を覆う覆い（２）とから成る容器蓋（３）上に計量室（４）を形成し、計量室（４）の形状は、覆い（２）より垂直に形成されて向かい合う長方形側部（５）と、雌ネジ部が上に延長されて向かい合う湾曲側部（６）と、長方形側部（５）と湾曲側部（６）の上部を覆う天井（７）と、天井（７）と平行な計量室底（８）とで略長方立方体の計量室（４）が形成されて、天井（７）の端と一方の湾曲側部（６）との接合部に排口（９）を設けて、長方形側部（５）に排口蓋（１０）誘導レールを形成し、誘導レールに排口蓋（１０）を装着して、排口（９）を排口蓋（１０）で塞ぐ。
【００２４】
計量室底（８）を脱着容易にし、計量室底（８）の側部に数本の溝（１１）を設け、計量室（４）の相対する長方形側部（５）内面に計量室底（８）の側部の溝（１１）に係止する数本の突起（１２）を形成し、溝（１１）に突起（１２）を係止して、内容物を誘導する傾斜した誘導路（１３）を設ける。
【００２５】
計量室（４）中心を挟んで排口（９）の相対する計量室底（８）の一端を上に傾斜させ流れ止め（１４）にして、流れ止め（１４）先端と湾曲側部（６）との距離を調整し、流れ止め（１４）の長さを調整する流れ止め（１４）調整カバー（１５）を流れ止め（１４）先端に装着して、調整カバー（１５）と湾曲側部（６）との間には流路（１６）を設けて、長方形側部（５）に計量線（１７）を記入する。
【００２６】
容器（１）の使用方法は、容器（１）内の紛体を計量室（４）に移動して計量するために容器（１）を傾け振ると、容器（１）内の粉体は、誘導路（１３）をすべり流路（１６）を通過して計量室（４）に流入すると共に計量室（４）内の空気は流路（１６）を通過して容器（１）内に流入して、粉体の計量予定量が計量室（４）に入った時点で容器（１）を横にして計量線（１７）で確認し容器（１）を立てる、余分に入った粉体は容器（１）を立てた状態で横に振って流路（９）を通過させて容器（１）内に戻す。
【００２７】
計量室（４）内の計量された粉体の排出は、排口蓋（１０）をずらして、排口（９）を開け容器（１）を傾けて、計量室（４）内の計量された粉体を排口（９）より排出する。
【００２８】
計量する内容物が顆粒や錠剤の場合は、流れ止め（１４）がなくとも計量した後に容器を立てても計量室（４）内の顆粒や錠剤は流路（１６）より容器内に戻ることがなく流れ止め（１４）を省いて形成することができる。
【００２９】
図７−図１１は、容器口部にデザインカバー（１８）を設ける。
【００３０】
図１２−図１６符号１９−符号３６は、容器（１９）口部から挿入し容器（１９）口部を覆う覆い（２０）側部周囲に容器口部に係止するパッキング(２１)を形成して、覆い（２０）側部を上下に伸ばして覆い（２０）と伸ばした覆い（２０）側部とで容器蓋（２２）形状をなして、容器蓋（２２）上に計量室（２３）を形成し、計量室（２３）の形状は、覆い（２０）より垂直に形成されて向かい合う長方形側部（２４）と、容器（１９）口部に沿って向かい合う湾曲側部（２５）と、長方形側部（２４）と湾曲側部（２５）の上部を覆う天井（２６）と、天井（２６）と平行な計量室底（２７）とで略長方立方体の計量室（２３）が形成されて、天井（２６）の端と一方の湾曲側部（２５）との接合部に排口（２８）を設けて、長方形側部（２４）に排口蓋（２９）誘導レールを形成し、誘導レールに排口蓋（２９）を装着して排口（２８）を排口蓋（２９）で塞ぐ。
【００３１】
計量室底（２７）を脱着容易にし、計量室底（２７）の側部に数本の溝（３０）を設け、計量室（２３）の相対する長方形側部（２４）内面に計量室底（２７）の側部の溝（３０）に係止する数本の突起（３１）を形成し、溝（３０）に突起（３１）を係止して、内容物を誘導する傾斜した誘導路（３２）を設ける。
【００３２】
計量室（２３）中心を挟んで排口（２８）の相対する計量室底（２７）の一端を上に傾斜させ流れ止め（３３）にして、流れ止め（３３）先端と湾曲側部（２５）との距離を調整し、流れ止め（３３）の長さを調整する流れ止め（３３）調整カバー（３４）を流れ止め（３３）先端に装着して、調整カバー（３４）と湾曲側部（２５）との間には流路（３５）を設けて、長方形側部（２４）に計量線を記入して、容器（１９）口部に計量室カバー(３６)を装着する。
【産業上の利用可能性】
【００３３】
計量して使用する粉ミルク容器、顆粒入浴剤容器、塩、砂糖、醤油などの調味料容器、顆粒状の動物の餌、薬品容器に使用できる。
【符号の説明】
【００３４】
１  容器
２  覆い
３  容器蓋
４  計量室
５  長方形側部
６  湾曲側部
７  天井
８  計量室底
９  排口
１０  排口蓋
１１  溝
１２  突起
１３  誘導路
１４  流れ止め
１５  調整カバー
１６  流路
１７  計量線
１８  デザインカバー
１９  容器
２０  覆い
２１  パッキング
２２  容器蓋
２３  計量室
２４  長方形側部
２５  湾曲側部
２６  天井
２７  計量室底
２８  排口
２９  排口蓋
３０  溝
３１  突起
３２  誘導路
３３  流れ止め
３４  調整カバー
３５  流路
３６  計量室カバー
【要約】
【課題】  液体容器口部に装着された計量蓋を取り外してして行う液体の計量時に、液体が手や液体容器に垂れる問題を解決する。
【解決手段】  容器口部にネジにより螺合装着して容器口部を覆う容器蓋上に計量室を形成し、計量室底を脱着容易にして、計量室底側部に数本の溝を設け、計量室の相対する内側面に計量室底側部の溝に係止する数本の突起を形成し溝に突起を係止して、計量室底の一端を傾斜させ流れ止めにして、流れ止め先端に流れ止めの長さを延長するカバーを装着し、カバーと計量室側部との間には流路を設け、計量室中心を挟んで流路の相対する計量室上部に排口を形成して、排口を排口蓋で塞ぐ、
【選択図】図３【図１】
0005517230.tif 000002
【図２】
0005517230.tif 000003
【図３】
0005517230.tif 000004
【図４】
0005517230.tif 000005
【図５】
0005517230.tif 000006
【図６】
0005517230.tif 000007
【図７】
0005517230.tif 000008
【図８】
0005517230.tif 000009
【図９】
0005517230.tif 000010
【図１０】
0005517230.tif 000011
【図１１】
0005517230.tif 000012
【図１２】
0005517230.tif 000013
【図１３】
0005517230.tif 000014
【図１４】
0005517230.tif 000015
【図１５】
0005517230.tif 000016
【図１６】
0005517230.tif 000017